【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
耳用カバー組立体において、
各耳用カバーが該耳用カバーの中心からずれた装着位置に位置する回転台を有する二つの耳用カバーと、
右端部と、中央部と、左端部とを含む弾性フレームと、
前記右端部と前記左端部とのそれぞれは、前記回転台を介して前記耳用カバーのそれぞれ一つに取付けられるように構成され、
前記中央部は、前記右端部と前記左端部を配向して、使用時に着用者の耳を覆うように配置するために、前記耳用カバーを互いに反対方向に保持し、着用者の顔の前に配置するために、前記組立体を支えるように構成され、
前記フレームは、前記耳用カバーを内側に付勢することで、前記着用者の頭部に前記組立体を固定するように締付力を加えるように構成され、
前記回転台は、前記台の主回転方向に垂直な方向への前記フレームと前記耳用カバーとの間の相対運動を制限するように構成され、
前記フレームと前記回転台との間の相対的な配置は、前記耳用カバー全体に前記締付力を分配させることで、ずらされた台位置を補償するように構成される、耳用カバー組立体。
【請求項２】
前記フレームと前記回転台との相対的な配置は、前記フレームの回転位置に基づいて前記フレームによって加えられる前記締付力を変化させるように構成される、請求項１に記載の耳用カバー組立体。
【請求項３】
前記フレームの弾性と、着用時のそれぞれの前記回転台内の前記左端部と前記右端部の角度的な向きによって前記捩り力がもたらされ、前記フレームと前記回転台との間の前記相対的な配置によって、捩り力が加えられる、請求項２に記載の耳用カバー組立体。
【請求項４】
前記回転台は、最も中心にある部分が、前記台内部で保持されるそれぞれ前記左端部と前記右端部の少なくとも中央にある部分に対して、前記耳用カバーの中心の外側に向かって角度をつけることで、着用時に前記捩り力を引き起こすように、あらゆる回転による配向のために、前記台内部で保持されるそれぞれ前記左端部と前記右端部が前記耳用カバーの中心に対して角度をつけるように、それぞれ前記左端部と前記右端部を保持するように構成される、請求項３に記載の耳用カバー組立体。
【請求項５】
前記フレームによって支えられる前記組立体は、目用カバー組立体である、先行する請求項のいずれかに記載の耳用カバー組立体。
【請求項６】
前記フレームによって支えられる前記組立体は、マイクロホンである、請求項１乃至５のいずれかに記載の耳用カバー組立体。
【請求項７】
前記回転台は、回転面が、前記耳用カバーの耳接触面を通る平面に対して角度をつけるように配向され、それぞれ前記左端部と前記右端部を収容する溝を含み、該溝は主回転軸から前記耳用カバーの前記中心に向かう方向にずれ、前記左端部と前記右端部は、前記溝内の一以上の表面に係合するように構成され、前記溝内の前記表面は、前記溝が前記耳用カバーの中心を通る中央線に略垂直になる回転位置において、前記表面がそれぞれの端部の縦方向の捩れを引き起こすことで、着用時に前記捩り力を引き起こすように構成され、前記耳用カバーの前記耳接触面を通る前記平面に対する前記溝の角度が原因で、前記耳用カバーの前記中心を通る前記中央線に略平行になる前記回転位置において、それぞれ前記左端部と前記右端部の縦方向の屈曲を引き起こすことで、着用時に前記捩り力をもたらすように構成されると共に、各耳用カバー用の前記回転台は、前記耳用カバーの上部の固定位置にある回転台ソケットと、前記溝を含む回転プラグを形成する前記ソケットに収容される一以上の回転組立体部品とを含み、前記ソケットは、前記プラグの回転面が、前記耳用カバーの前記耳接触面を通る前記平面に対して角度をつけるように配向される、請求項１乃至６のいずれかに記載の耳用カバー組立体。
【請求項８】
前記フレームは、前記フレームの前記右端部と、前記中央部と、前記左端部とにわたって延在して、前記締付力を加える弾性骨組みを含む、先行する請求項のいずれかに記載の耳用カバー組立体。
【請求項９】
前記弾性骨組みは、縦長の湾曲を有するバンドであり、このバンドは、弾性金属で形成される、請求項８に記載の耳用カバー組立体。
【請求項１０】
前記弾性骨組みは、縦長の湾曲を有するバンドであり、このバンドは、弾性材料の一以上の層を積層構造にした複合構造体を備える、請求項８に記載の耳用カバー組立体。
【請求項１１】
前記弾性骨組みは、プラスチック材料で形成される、請求項８に記載の耳用カバー組立体。
【請求項１２】
前記フレームはさらに、前記目用カバー組立体を前記中央部に装着するように構成された非弾性目用カバー組立体用台を備える、請求項８乃至１１のいずれかに記載の耳用カバー組立体。
【請求項１３】
それぞれの前記左端部と前記右端部に沿って各耳用カバーの位置の調節を可能にするように構成された、先行する請求項のいずれかに記載の耳用カバー組立体。
【請求項１４】
前記耳用カバーは、前記着用者の聴覚の保護をもたらすように構成されたイヤーマフ型の耳保護具であり、前記耳保護具は、前記着用者の外耳にもたれかかりかつ概ね又は全体を覆うのに適合させられた内側防音部と、硬質材料から作られ、前記内側防音部に取付けられた外側シェルとを備え、前記回転台は、前記耳保護具の前記外側シェルに取付けられる、先行する請求項のいずれかに記載の耳用カバー組立体。
【請求項１５】
少なくとも一つの耳用カバーは、ワイヤレスレシーバとスピーカとを備える電子機器を含む、請求項１４に記載の耳用カバー組立体。
【請求項１６】
さらに目用カバー組立体を備え、該目用カバー組立体は、目保護組立体を備える、先行する請求項のいずれかに記載の耳用カバー組立体。
【請求項１７】
前記目保護組立体は、安全メガネ、安全バイザー又はマスクのいずれかとして構成される、請求項１６に記載の耳用カバー組立体。
【請求項１８】
前記目用カバー組立体は、サングラス用に構成される、請求項１６に記載の耳用カバー組立体。
【請求項１９】
前記目用カバー組立体は、視力矯正レンズを含むように構成される、先行する請求項のいずれかに記載の耳用カバー組立体。
【請求項２０】
さらにマイクロホン組立体を備える、請求項１５に記載の耳用カバー組立体。
【請求項２１】
耳用カバー組立体において、
各耳用カバーが回転台を有する二つのヘッドホン耳用カバーと、
右端部と、中央部と、左端部とを含む弾性フレームと、
前記右端部と前記左端部とのそれぞれは、前記回転台を介して前記耳用カバーのそれぞれ一つに取付けられるように構成され、
前記中央部は、前記右端部と前記左端部を配向して、使用時に前記着用者の耳を覆うために配置するために、前記耳用カバーを互いに反対方向に保持し、１つの組立体を付随的に前記着用者の顔の前に配置して前記組立体を支えるように構成され、
前記弾性フレームは、前記耳用カバーを内側に付勢することで、前記着用者の頭部に組立体を固定するように締付力を加えるように構成され、
前記回転台は、該台の主回転方向に垂直な方向への前記フレームと前記耳用カバーとの間の相対運動を制限するように構成され、
前記フレームと前記回転台との相対的な配置は、前記フレームの回転位置に基づいて前記フレームによって加えられる前記締付力を変化させるように構成される、耳用カバー組立体。
【請求項２２】
耳用カバー組立体において、
回転台を有する耳用カバーと、
回転台を有する頭部接触サポートと、
前記右端部と、前記中央部と、前記左端部とを含む弾性フレームと、
前記右端部と前記左端部とのそれぞれは、前記回転台を介して前記耳用カバーのそれぞれ一つに取付けられるように構成され、
前記中央部は、前記右端部と前記左端部とを配向させて、使用時に前記耳用カバーの一方が前記着用者の耳を覆い、頭部接触サポートが他方の耳の近傍の前記着用者の頭部に対向する状態で配置するために、前記耳用カバーと前記サポートとを互いに略反対方向に保持し、前記着用者の顔の前に配置するために、前記組立体を支えるように構成され、
前記弾性フレームは、前記耳用カバーと前記頭部接触サポートとを内側に付勢することで、前記着用者の前記頭部に前記組立体を固定するように締付力を加えるように構成され、
前記回転台は、該台の主回転方向に垂直な方向への前記フレームと前記耳用カバーと前記頭部接触サポートとの間の相対運動を制限するように構成され、
前記フレームと前記回転台との相対的な配置は、前記フレームの回転位置に基づいて前記フレームによって加えられる前記締付力を変化させるように構成される、耳用カバー組立体。